【手続補正書】
【提出日】平成16年10月7日(2004.10.7)
【手続補正１】
【補正対象書類名】明細書
【補正対象項目名】特許請求の範囲
【補正方法】変更
【補正の内容】
【特許請求の範囲】
【請求項１】
原稿の画像を読み取る画像読取部と、
読み取られた原稿の画像情報に基づいてシートに画像を形成する作像部と、
上記作像部と上記画像読取部との間に設けられ、その底面部が着脱自在な空間と、
上記空間の底面部を取り外した状態で装着され、上記作像部により画像を形成されたシートに対して所定の処理を行うシート処理手段とを有する
ことを特徴とする画像形成装置。
【請求項２】
上記シート処理手段が、
上記作像部により画像が形成されたシートを排出する部分に接続する接続ユニットと、
上記接続ユニットから送出される上記シートに対して上記所定の処理を実行可能なシート処理ユニットとを有する
ことを特徴とする請求項１記載の画像形成装置。
【請求項３】
上記画像読取部が上記作像部の上方に配設されている
ことを特徴とする請求項１または２記載の画像形成装置。
【請求項４】
上記空間の底面部が上記作像部の上方に配設されている
ことを特徴とする請求項１乃至３のいずれか１項記載の画像形成装置。
【請求項５】
上記空間の底面部は、上記空間に排出されたシートを積載する排紙トレイである
ことを特徴とする請求項１乃至４のいずれか１項記載の画像形成装置。
【請求項６】
原稿の画像を読み取る画像読取部と、読み取られた原稿の画像情報に基づいてシートに画像を形成する作像部と、上記作像部と上記画像読取部との間に設けられ、底面部が着脱自在な空間とを備えた画像形成装置に対して、上記空間の底面部を取り外した状態で装着され、上記作像部により画像を形成されたシートに対して所定の処理を行う
ことを特徴とするシート処理装置。
【請求項７】
上記作像部により画像が形成されたシートを排出する部分に接続可能な接続ユニットと、上記接続ユニットから送出される上記シートに対して上記所定の処理を行うシート処理ユニットとを有する
ことを特徴とする請求項６記載のシート処理装置。
【請求項８】
上記画像読取部が上記作像部の上方に配設されている
ことを特徴とする請求項６または７記載のシート処理装置。
【請求項９】
上記空間の底面部が上記作像部の上方に配設されている
ことを特徴とする請求項６乃至８のいずれか１項記載のシート処理装置。
【請求項１０】
上記空間の底面部は、上記空間に排出されたシートを積載する排紙トレイである
ことを特徴とする請求項６乃至９のいずれか１項記載のシート処理装置。
【請求項１１】
原稿の画像を読み取る画像読取部と、読み取られた原稿の画像情報に基づいてシートに画像を形成する作像部とを有する画像形成装置に、上記シートに対して所定の処理を行うシート処理装置を装着するシート処理装置の装着方法であって、
上記作像部と上記画像読取部との間に設けられた空間の底面部を取り外し、
上記底面部が取り外された空間に、上記シート処理装置を装着する
ことを特徴とするシート処理装置の装着方法。
【請求項１２】
上記シート処理装置が、
上記作像部におけるシートを排出する部分に接続する接続ユニットと、
上記接続ユニットから送出される上記シートに対して上記所定の処理を行うシート処理ユニットとを有する
ことを特徴とする請求項１１記載のシート処理装置の装着方法。
【請求項１３】
上記空間の底面部は、上記空間に排出されたシートを積載する排紙トレイである
ことを特徴とする請求項１１または１２記載のシート処理装置の装着方法。
【手続補正２】
【補正対象書類名】明細書
【補正対象項目名】０００９
【補正方法】変更
【補正の内容】
【０００９】
【課題を解決するための手段】
上記目的を達成するために、この発明の第１の発明は、
原稿の画像を読み取る画像読取部と、
読み取られた原稿の画像情報に基づいてシートに画像を形成する作像部と、
作像部と画像読取部との間に設けられ、その底面部が着脱自在な空間と、
空間の底面部を取り外した状態で装着され、作像部により画像を形成されたシートに対して所定の処理を行うシート処理手段とを有することを特徴とするものである。
【手続補正３】
【補正対象書類名】明細書
【補正対象項目名】００１０
【補正方法】変更
【補正の内容】
【００１０】
この第１の発明において、典型的には、シート処理手段は、作像部により画像が形成されたシートを排出する部分に接続する接続ユニットと、接続ユニットから送出されるシートに対して所定の処理を実行可能なシート処理ユニットとを有する。
【手続補正４】
【補正対象書類名】明細書
【補正対象項目名】００１１
【補正方法】変更
【補正の内容】
【００１１】
この第１の発明において、典型的には、画像読取部は、作像部の上方に配設されている。また、同様に、空間の底面部が作像部の上方に配設されている。また、典型的には、空間の底面部は、空間に排出されたシートを積載する排紙トレイである。
【手続補正５】
【補正対象書類名】明細書
【補正対象項目名】００１２
【補正方法】変更
【補正の内容】
【００１２】
また、この発明の第２の発明は、
原稿の画像を読み取る画像読取部と、読み取られた原稿の画像情報に基づいてシートに画像を形成する作像部と、作像部と画像読取部との間に設けられ、底面部が着脱自在な空間とを備えた画像形成装置に対して、空間の底面部を取り外した状態で装着され、作像部により画像を形成されたシートに対して所定の処理を行うことを特徴とするシート処理装置である。
【手続補正６】
【補正対象書類名】明細書
【補正対象項目名】００１３
【補正方法】変更
【補正の内容】
【００１３】
この第２の発明において、典型的には、作像部により画像を形成されたシートを排出する部分に接続する接続ユニットと、接続ユニットから送出されるシートに対して所定の処理を行うシート処理ユニットとを有する。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】変更
【補正の内容】
【００１５】
この第２の発明において、典型的には、シート処理装置は、作像部により画像が形成されたシートを排出する部分に接続可能な接続ユニットと、接続ユニットから送出されるシートに対して所定の処理を実行可能に構成されたシート処理ユニットとを有して構成される。
【手続補正９】
【補正対象書類名】明細書
【補正対象項目名】００１６
【補正方法】変更
【補正の内容】
【００１６】
この第２の発明において、典型的には、画像読取部は、作像部の上方に配設されている。また、この第２の発明において、典型的には、空間の底面部は、作像部の上方に配設されている。また、典型的には、空間の底面部は、空間に排出されたシートを積載する排紙トレイである。
【手続補正１０】
【補正対象書類名】明細書
【補正対象項目名】００１７
【補正方法】変更
【補正の内容】
【００１７】
また、この発明の第３の発明は、
原稿の画像を読み取る画像読取部と、読み取られた原稿の画像情報に基づいてシートに画像を形成する作像部とを有する画像形成装置に、シートに対して所定の処理を行うシート処理装置を装着するシート処理装置の装着方法であって、
作像部と画像読取部との間に設けられた空間の底面部を取り外し、
底面部が取り外された空間に、シート処理装置を装着する
ことを特徴とするものである。
【手続補正１１】
【補正対象書類名】明細書
【補正対象項目名】００１８
【補正方法】変更
【補正の内容】
【００１８】
この第３の発明において、典型的には、シート処理装置は、作像部におけるシートを排出する部分に接続する接続ユニットと、接続ユニットから送出されるシートに対して所定の処理を行うシート処理ユニットとを有する。また、この第３の発明において、典型的には、空間の底面部は、空間に排出されたシートを積載する排紙トレイである。